(57)【特許請求の範囲】
【請求項１】
打撃用杵（８）の先端部に端面部から軸心に沿って凹孔（１７）を穿ち、他方前記打撃用杵（８）の先端部に装着される打撃体（１２）は弾性素材によりキャップ状に形成すると共に打撃部（１４）の内面中央部に係入凸部（１５）を突設し、前記打撃用杵（８）の先端部に対して該打撃体（１２）を嵌め付け装着すると同時に、該打撃体（１２）の前記係入凸部（１５）を前記打撃用杵(８)の先端部に穿つ凹孔（１７）に係入して一体に装着してなることを特徴としたパチンコ機の打球発射装置。
【請求項２】
請求項１に記載のパチンコ機の打球発射装置において、打撃用杵（８）の凹孔（１７）は有底にして該凹孔（１７）に嵌合する打撃体（１２）の係入凸部（１５）の先端を該凹孔（１７）の底部に当接することを特徴としたパチンコ機の打球発射装置。
【請求項３】
請求項１又は２に記載のパチンコ機の打球発射装置において、打撃用杵（８）の先端部外周面には環状の抜止め用凹溝（１６）を形成し、他方キャップ状をなす打撃体（１２）の内周面部には環状に係合凸条（１３）を隆設して該打撃体（１２）の弾性を利用して嵌め合せ抜止めすることを特徴としたパチンコ機の打球発射装置。
【発明の詳細な説明】
【０００１】
【発明の属する技術分野】
本発明は、遊技盤面に向けパチンコ球を打ち出すパチンコ機の打球発射装置に関する。
【０００２】
【従来の技術】
パチンコ機の打球発射装置は駆動方法に違いはあっても一般には金属製の打撃用杵の先端部に弾性素材によって形成される打撃体を装着している。
打撃体は杵に対する直接的衝撃を吸収すると共に、素材の反発力により遊技盤面まで効果的に球を弾き出すためのものであって発射装置においては不可欠の要素となっている。
【０００３】
従来使用されている打撃体は、弾性を有した軟質の合成樹脂を素材にしてキャップ状に形成し、杵の先端部に被せるようにして装着し、打球の発射時にはやゝ肉厚に形成した打撃部が誘導レールの始端部に突き進みこれに待機するパチンコ球を弾き出すようにしてある。
【０００４】
図４はソレノイド型打球発射装置における上記従来の打撃体を示したものである。軟質合成樹脂で形成されるキャップ状の打撃体２０は内周面部に環状の凸条２１を隆設し、打撃用杵となるソレノイド２２のプランジャ２３の先端部周面に形成する環状の凹溝２４に上記凸条２１を嵌合して一体に装着される。
【０００５】
この打撃体２０はプランジャ２３の先端部に弾性を利用して無理に拡張することによって装着し、復元力によって凸条２１を凹溝２４に嵌合させて抜止めする構造になっており、発射時には頂部の打撃部２５が球を受けて圧縮され、反発力を高めてプランジャ２３の押し出しと協動して球を弾き出すことになる。
【０００６】
【発明が解決しようとする課題】
この従来型打撃体は杵となるプランジャに対する装着が容易であり、使用時には弾性復元力によって先端部に密着し安定した取付状態が得られるが、素材が弾性体であって打撃時には変形することを前提としているため杵先端に対して位置ずれを起こすことがあり、発射むらを起こす欠点がある。
【０００７】
説明するまでもなく打球発射装置は使用時毎分当り１００発に近い数のパチンコ球を発射するものであり、しかも遊技者の操作に従って求める発射距離をその都度安定的に確保しなければならないものであるため発射むらを起こすことはファール球を出すだけでなく、遊技者の遊技意欲を決定的に損なうことになる。この意味で杵先端部に対する打撃体の位置ずれは大きな改善課題となる。
【０００８】
上記打撃体の位置ずれは、球との衝突時に発生するもので、不断復元力によって安定的に密着し杵との一体性が確保されている打撃体が衝突時に発生する歪みによって杵先端部との密着性が損なわれガタを生じて起こるものと考えられる。しかし、この歪みは前述したように弾性体がもつ特性であって完全に抑え込むことはできないものである。
【０００９】
本発明はこの様な状況において打撃時の歪み、つまり弾性に基づく反発力を抑えることなく適正な発射力を確保しつつ杵先端部との位置ずれを解消して常に安定した打球の発射を可能にした発射装置を提供せんとするもので、特に本発明は常に打撃位置が一定である打撃用杵に対してその中心位置と打撃体の中心位置との一体化を図って打撃体の打撃時に生じる歪みに影響されることなく中心位置を確保し、一定の打球発射状態が得られるようにしたパチンコ機の打球発射装置を提供せんとするものである。
【００１０】
【課題を解決するための手段】
本発明は、上述の目的に基づきなされたもので、その特徴とするところは打球発射装置における打撃用杵の先端部に端面部から軸心に沿って凹孔を穿ち、他方前記打撃用杵先端部に装着される打撃体は弾性素材によりキャップ状に形成すると共に打撃部内面中央部に係入凸部を突設し、該打撃体を前記打撃用杵の先端部に装着する際前記係入凸部を前記凹孔に嵌合して一体に装着してなることを特徴としたパチンコ機の打球発射装置を提供することにある。
【００１１】
また本発明は、前記打球発射装置において、打撃用杵の凹孔は有底にしてこれに嵌合する打撃体の係入凸部はその先端を底部に当接することを特徴としたパチンコ機の打球発射装置を提供することにある。
【００１２】
また本発明は、前記打球発射装置において、打撃用杵の先端部外周面には環状の抜止め用凹溝を形成し、他方キャップ状打撃体の内周面部には環状の係合凸条を隆設して打撃体の弾性を利用して嵌め合せ抜止めすることを特徴としたパチンコ機の打球発射装置を提供することにある。
次に本発明を図示する実施例について説明する。
【００１３】
【実施の態様】
【実施例】
図１は本発明に係る打球発射装置の使用状態を示した一部欠截する正面図であり、図２は打球発射装置の拡大正面図、図３は打球発射装置の主要構成部分のみを取り出し要部を断面とした拡大正面図である。
図面において、１はパチンコ機の前面を被う前枠であり、２はこの前枠に装着したガラスを収めるガラス金枠、３はガラス金枠２の下に揃えて装備される賞球受皿で、４は打球発射装置５の操作用グリップ、６は賞球下皿である。
【００１４】
打球発射装置５はこの実施例ではソレノイドによる装置となっており、ここでは駆動力となるソレノイド７を主体として打撃用杵となるプランジャ８、このプランジャ８が失磁状態にあるとき後退位置に戻すスプリング９を主要素として構成してある。
【００１５】
打球発射装置５はパチンコ機に組込む際の取付基板となる台１０にセットされ、プランジャ８の先端部、つまり打撃用杵８の先端部を台１０から延設する打球発射の誘導レール１１の始端部１１ａに臨ませるようにしてある。
【００１６】
図中、１２は前記打撃用杵８の先端部に装着される打撃体である。
打撃体１２は弾性を有する軟質合成樹脂等弾性があり且つ強靱で耐久性を有する素材によって形成されるものとなっており、ここではポリウレタンゴムが選ばれている。
【００１７】
この打撃体１２は図３に示したようにキャップ状に形成され、内周面の中間部分には環状の凸条１３を隆設し、また頂部となる打撃部１４の内面中央部には中空部の中心に沿って円柱状の係入凸部１５を突設している。
【００１８】
このキャップ状の打撃体１２は、前記打撃用杵８の先端部に被るようにして装着されるもので、杵８の先端部には前記凸条１３を係合させる環状の抜止め用凹溝１６を外周面の全周に亘って形成し、また先端面の中央部には前記係入凸部１５を嵌め入れる凹孔１７を穿ってある。
【００１９】
打撃体１２は杵８の先端部に密着するように円柱状をなす該先端部に合せて円筒状のキャップ形に形成すると共に、内径を先端部の外径よりやゝ小さくして弾性復元力による密着を図り、更に凸条１３は抜止め用凹溝の内面積に等しいか、やゝ大きく形成して縮小した状態で嵌り付くようにしてある。
【００２０】
更に、前記係入凸部１５は杵先端部の凹孔１７より僅かに太く、且つ孔底部に達する長さに形成して、打撃体装着の際この凹孔１７にやゝ無理に押し入れて密着するようにしてある。
【００２１】
上記構成される打撃体１２は素材の弾性を利用して杵８の先端部に拡張させながら嵌め付け、係入凸部１５を凹孔１７に、また凸条１３を抜止め用凹溝１６に各係入させて装着し、装着後は復元力によって密着させ一体化することになる。
【００２２】
ソレノイド７は台１０を介してパチンコ機本体に組付けられ、誘導レール１１と共に定位置に固定されることになる。
この打球発射装置５は常態にあるとき、失磁してスプリング９により打撃用杵（プランジャ）８を後退位置におき、励磁に伴って発射する際にはスプリング９を圧縮しながら先端部をレール１１の始端部１１ａに突き出し、これに待機するパチンコ球を弾き出すことになる。
【００２３】
打球発射に際して打撃体１２は打撃部１４を球に打ち当て、杵８の押し出しに併せて該部分の弾性反発力を作用させて発射することになる。
このとき、打撃体１２は変形し歪みを生じ杵先端部との一体性を欠くことがあるが、打撃部１４の内面中央部から突設する係入凸部１５が杵先端面中央部に穿たれる凹孔１７に嵌入して杵先端部に対して常に定位置に止まることから、打撃部１４の一定位置で球を捕らえることができ、従って一定した打ち出しが行えることになる。
【００２４】
尚、この実施例では係入凸部１５の先端が杵先端部の凹孔１７の底部に当接するものとしたことから打撃時に打撃部１４が圧縮される際に不要に後退して例えば凹孔１７の縁で打撃部内面が損傷を受けるようなことが回避される。
勿論、この係入凸部１５は中心位置を確保し打撃体１２の位置ずれを防止することを主目的とすることから、凹孔１７の底部に達しない長さのものであってもその目的を達することは言うまでもない。
【００２５】
本発明は上述の如く構成され使用されるもので、打撃体１２については使用により疲労し、損傷したときには弾性を利用して拡張させながら無理に引き剥がせばよく、交換する打撃体については前述したように杵先端部に向けて押し付けるようにして嵌め付ければ簡単に装着することができる。
【００２６】
勿論、実施例ではソレノイド型の発射装置について説明したが、その駆動力はこれに特定されるものではなく打撃用杵を有する構造の発射装置である場合その全てに本発明を実施することが可能であり、又有効に利用し効果を期待することができる。
【００２７】
【発明の効果】
以上本発明を実施例について説明したように、打撃用杵の先端部に対して装着する打撃体が、これに設ける係入凸部を杵先端部の凹孔に嵌め入れて打撃時の位置ずれを防止することから常に一定の部所での打撃を確保することができ、従って打球の発射を安定的に行うことができる。
【００２８】
また本発明は打撃体を杵先端部に被せるだけでなく、係入凸部を杵先端部の凹孔に嵌め入れ係合させることから安定した固着が得られ、堅牢な装着が期待できる。
【００２９】
また更に本発明は、打撃体の打撃部の内面部に係入凸部を突設することに伴い該打撃部の打撃面積が拡大することからパチンコ球に対する打撃点が拡がり、多少の位置ずれが生じても常に安定した発射が期待できる。
【図面の簡単な説明】
【図１】本発明に係る打球発射装置の使用状態を示した一部欠截する正面図。
【図２】打球発射装置の拡大正面図。
【図３】打球発射装置の主要構成部分のみを取出し要部を断面にした拡大正面図。
【図４】従来例を示す要部の正面図である。
【符号の説明】
５          打球発射装置
７          駆動力たるソレノイド
８          打撃用杵たるプランジャ
１１        打球発射の誘導レール
１１ａ      誘導レールの始端部
１２        打撃体
１３        凸条
１４        打撃部
１５        係入凸部
１６        抜止め用凹溝
１７        凹孔
【図１】
0004035265.tif 000002
【図２】
0004035265.tif 000003
【図３】
0004035265.tif 000004
【図４】
0004035265.tif 000005